(57)【要約】【課題】  装置をコンパクトにして搬送し易くした記録装置と液体噴射装置を提供すること。【解決手段】  ロール状の記録媒体を保持する媒体保持手段１３２が収納される収納部３１は、装置本体３２に対して着脱自在に構成されている。これにより、装置本体と収納部とを分離してコンパクトにすることができるので、記録装置の搬送が容易となる。また、前記収納部は、前記装置本体に対して係止可能な係止部１３３ｂ、３２ｂと手動締結可能な締結手段１３３ｃを備えている。これにより、特別な器具を用いなくても装置本体と収納部とを手作業のみで分離することができる。【選択図】      図１１
2005169745.tif 000002
【特許請求の範囲】
【請求項１】
ロール状の記録媒体を保持する媒体保持手段が収納される収納部を備えた記録装置であって、
前記収納部は、装置本体に対して着脱自在に構成されていることを特徴とする記録装置。
【請求項２】
前記収納部は、前記装置本体に対して係止可能な係止部と手動締結可能な締結手段を備えていることを特徴とする請求項１に記載の記録装置。
【請求項３】
被噴射媒体に液体を噴射する液体噴射装置であって、
請求項１または２に記載の収納部を備えたことを特徴とする液体噴射装置。
【発明の詳細な説明】
【技術分野】
【０００１】
本発明は、ロール状の記録媒体を保持する媒体保持手段が収納される収納部を備えた記録装置と液体噴射装置に関する。
【背景技術】
【０００２】
一般に、従来の記録装置の１つである大型のインクジェット式プリンタは、記録媒体である例えば記録用のロール紙を供給する給紙部、給紙されたロール紙に情報を記録する記録部、記録されたロール紙を排出する排紙部を備えている。そして、例えばＪＩＳ規格のＡ２判やＵＳＣ規格の１７インチといった比較的大型のサイズのロール紙にまで記録することができる。
【０００３】
このような大型のインクジェット式プリンタを使用する場合、ユーザは、ロール紙を給紙部に収納してロール紙の先端部を引き出す。そして、ロール紙の先端部を給紙ガイド上を通し、紙送りローラと従動ローラとの間に挟み込んでインクジェット式プリンタを起動する。すると、インクジェット式プリンタは、紙送りローラを回転させてロール紙をプラテン上に送り出しながら、記録ヘッドのノズルからインク滴を吐出して情報をロール紙上に記録する。そして、排紙ローラを回転させてロール紙を排紙ガイド上を通して用紙受けに排出する。
【０００４】
【特許文献１】特開２００３−１４６５０８号公報
【発明の開示】
【発明が解決しようとする課題】
【０００５】
上述した大型のインクジェット式プリンタは、ロール紙を収納する給紙部がプリンタ本体の後方上部に突出するように形成されている。そして、この給紙部はプリンタ本体と一体的に形成されている。このため、インクジェット式プリンタの設置作業や修理作業等のためにインクジェット式プリンタを搬送しなければならないときは、プリンタ本体から突出した給紙部が搬送の妨げとなる場合がある。
【０００６】
本発明は、上記のような種々の課題に鑑みなされたものであり、その目的は、装置をコンパクトにして搬送し易くした記録装置と液体噴射装置を提供することにある。
【課題を解決するための手段】
【０００７】
上記目的達成のため、本発明の記録装置では、ロール状の記録媒体を保持する媒体保持手段が収納される収納部を備えた記録装置であって、前記収納部は、装置本体に対して着脱自在に構成されていることを特徴としている。これにより、装置本体と収納部とを分離してコンパクトにすることができるので、記録装置の搬送が容易となる。また、前記収納部は、前記装置本体に対して係止可能な係止部と手動締結可能な締結手段を備えていることを特徴としている。これにより、特別な器具を用いなくても装置本体と収納部とを手作業のみで分離することができる。
【０００８】
上記目的達成のため、本発明の液体噴射装置では、被噴射媒体に液体を噴射する液体噴射装置であって、上記各収納部を備えたことを特徴としている。これにより、上記各作用効果を奏する液体噴射装置を提供することができる。
【発明を実施するための最良の形態】
【０００９】
図１は、本発明の一実施の形態に係る記録装置の１つであるインクジェット式プリンタの外観構成の全体を斜め前方から見た斜視図である。このインクジェット式プリンタ１００は、例えばＪＩＳ規格のＡ２判やＵＳＣ規格の１７インチといった比較的大型のサイズのいわゆるカットされた用紙やロール状の用紙に記録できる卓上型の大型のプリンタであり、全体が幅方向に長く延びる略直方体状のハウジング１０１で覆われている。
【００１０】
このハウジング１０１の上面には、矩形状の窓部１０２が形成されている。この窓部１０２は、透明もしくは半透明の窓カバー１０３によって覆われている。窓カバー１０３は、その上部の回動軸を中心に図示矢印ａ方向に回動可能に取り付けられている。ユーザは、窓カバー１０３を持ち上げて窓部１０２を開放することにより、窓部１０２を通して内部機構のメンテナンス作業等を行うことができる。
【００１１】
ハウジング１０１の前面両側には、複数のインクカートリッジが抜き差しされるカートリッジ収納部１０４がそれぞれ形成されている。各インクカートリッジは、記録用の各色のインクを貯留している。各カートリッジ収納部１０４は、透明もしくは半透明のカートリッジカバー１０５によって覆われている。カートリッジカバー１０５は、その下部の回動軸を中心に図示矢印ｂ方向に回動可能に取り付けられている。ユーザは、カートリッジカバー１０５を軽く押して係止部を外しカートリッジ収納部１０４を開放することにより、インクカートリッジの交換作業等を行うことができる。
【００１２】
ハウジング１０１の前面右側のカートリッジ収納部１０４の上部には、プリンタ動作を指示する操作部１１０が配設されている。操作部１１０は、パワーをオン・オフするパワー系、用紙の頭出し等を操作したりインクのフラッシング等を操作する操作系、画像処理等を行う処理系等のボタン１１１と、状態を表示する液晶パネル１１２等を備えている。ユーザは、液晶パネル１１２を見て確認しながらボタン１１１を操作することができる。
【００１３】
ハウジング１０１の前面右側のカートリッジ収納部１０４の下部には、廃液タンク１２０が抜き差しされるタンク収納部１０６が形成されている。この廃液タンク１２０は、記録ヘッド１６２（図５参照）のクリーニング処理時やインクカートリッジの交換時に廃棄される廃インクを貯留する。ユーザは、廃液タンク１２０を引き出すことにより、内部に溜まっている廃インクの廃棄作業等を行うことができる。
【００１４】
ハウジング１０１の背面には、本発明の特徴的な部分を含むロール状の用紙を給紙する給紙部１３０が上部後方に突き出るように配設されている。給紙部１３０の内部には、１本のロール状の用紙がセット可能なロール紙ホルダ１３２（図７参照）が配設され、給紙部１３０の前面には、跳ね上げ式の開閉可能なロール紙カバー１３１がロール紙ホルダ１３２を覆うように取り付けられている。ユーザは、ロール紙カバー１３１を持ち上げて給紙部１３０を開放することにより、ロール状の用紙の取り付け・取り外し作業等を行うことができる。なお、ロール紙カバー１３１の上面は、カットされた用紙を手差しで給紙案内することが可能な給紙案内面に形成されている。
【００１５】
ハウジング１０１の前面中央、すなわち一対のカートリッジ収納部１０４の間には、記録前のカットされた用紙及び記録後のカットされた用紙またはロール状の用紙を積載する給排紙トレイ２００が抜き差しされる給排紙部１４０が形成されている。なお、この給排紙部１４０は、搬送時に折り曲げることが不可能な厚手の用紙を手差しで給紙することが可能なようにも形成されている。
【００１６】
この給排紙部１４０には、給排紙トレイ２００の前部が差し込まれ、給排紙トレイ２００の後部が突き出るようにして固定される。給排紙トレイ２００は、カセット型に形成されており、内部に記録前の給紙されるカットされた用紙が積層収納され、上部に記録後の排紙されるカットされた用紙またはロール状の用紙が積層載置されるようなっている。このような給排紙トレイ２００の詳細構造について、図２〜図４を参照して以下説明する。
【００１７】
図２は、上記給排紙トレイ２００の外観構成の全体を斜め前方から見た斜視図である。この給排紙トレイ２００は、箱状に形成された給紙トレイ２１０と、この給紙トレイ２１０の上面を覆う蓋状に形成された排紙トレイ２３０を備えている。給排紙トレイ２００は、給排紙方向に伸縮自在に形成されており、不使用のときはコンパクトに格納しておくことができ、また使用のときは種々のサイズのカットされた用紙に対応可能になっている。
【００１８】
図３及び図４は、給排紙トレイ２００が装着された給排紙部１４０を示す斜視図である。カットされた用紙を積層載置する場合は、図３に示すように、ロール紙案内部２４０は排紙部材２３９ａの上面に格納した状態、すなわち排紙部材２３９ａの上面はフラットな面にする。これにより、排紙ローラ１５５（図５参照）を通って排紙されるカットされた用紙は、断面がＬ字状に形成された案内部１４５の側面及び底面と排紙部材２３９ａ〜２３９ｄの上面とで形成される排紙受け面上にスムーズに積層載置される。
【００１９】
なお、案内部１４５の底面には、スポンジマット１４５ａが貼着されている。このスポンジマット１４５ａは、１枚目のカットされた用紙を載置した後、２枚目のカットされた用紙が排紙されてきたとき、２枚目のカットされた用紙の先端が１枚目のカットされた用紙を突付いて排紙受け面から突き落としてしまうことを防止するための滑り止めの機能を有している。
【００２０】
一方、ロール状の用紙を積層載置する場合は、図４に示すように、排紙部材２３９ａの上面に格納されているロール紙案内部２４０の第１の案内板２４１の他長辺側にユーザが指を掛けて後方に向かって旋回させる。すると、第２の案内板２４２が第１の案内板２４１に引っ張られて、長手方向の一端側が持ち上げられ、長手方向の他端側が排紙部材２３９ａの上面に形成されている溝２３９ａａに沿って後方に摺動する。そして、第１の案内板２４１と第２の案内板２４２とがなす角度が鋭角になるまで、第１の案内板２４１を旋回させる。
【００２１】
これにより、第２の案内板２４２は、その長手方向の一端側が案内部の側面の頂部に近接して滑り台状になる。このため、排紙ローラを通って排紙されるロール状の用紙がカールしていても、その先端が案内部側に巻き込まれてしまうことはなく、その先端は滑り台状の第２の案内板２４２上を滑走して排紙部材２３９ａ〜２３９ｄの上面側に導かれる。したがって、ロール状の用紙は、第２の案内板２４２と排紙部材２３９ａ〜２３９ｄの上面とで形成される排紙受け面上にスムーズに積層載置される。
【００２２】
図５は、図１のインクジェット式プリンタ１００の内部構成の概略を示す断面側面図である。ハウジング１０１内には、給排紙部１４０と搬送部１５０と記録部１６０等が配設されている。給排紙部１４０には、カットされた用紙を給紙するためのホッパ１４１、給紙ローラ１４２、分離部材１４３等が配設されている。ホッパ１４１は、カットされた用紙が載置可能な平板状に形成されており、一端が給紙ローラ１４２と分離部材１４３の近傍に位置し、他端が装着されている給排紙トレイ２００の給紙部２１０の底面に近接して位置するように配設されている。そして、ホッパ１４１は、一端側の裏面にハウジング１０１の底面に一端が取り付けられた圧縮バネ１４４の他端が取り付けられており、この圧縮バネ１４４の伸縮により他端側を中心に一端側が旋回するように配設されている。
【００２３】
給紙ローラ１４２は、断面の一部が切り欠かれたＤ字状に形成されており、間欠的に回転してホッパ１４１上のカットされた用紙を摩擦搬送するようになっている。分離部材１４３は、上面が粗面に形成されており、給紙ローラ１４２によりカットされた用紙が重送されたときに下層のカットされた用紙を最上層のカットされた用紙から摩擦分離するようになっている。ここで、ホッパ１４１上に載置されたカットされた用紙と給紙ローラ１４２との関係について図６を参照して説明する。
【００２４】
図６は、ホッパ１４１上に載置されたカットされた用紙と給紙ローラ１４２との接触状態を示す図である。図６（Ａ）は、ホッパ１４１上に最大枚数のカットされた用紙Ｐが載置された場合であり、この場合はホッパ１４１が上昇したとき、最上層のカットされた用紙Ｐ１が給紙ローラ１４２の切り欠き部分には接触せず、少なくとも円弧開始点１４２ａ以降の円周に接触するように調節されている。
【００２５】
また、図６（Ｂ）は、ホッパ１４１上に最小枚数（１枚）のカットされた用紙Ｐ１が載置された場合であり、この場合はホッパ１４１が上昇したとき、そのカットされた用紙Ｐ１が給紙ローラ１４２の円弧開始点１４２ａから少し回転した点１４２ｂに接触するように調節されている。この接触点１４２ｂは、接触点１４２ｂから円弧終了点１４２ｃまでの円周長さが、用紙Ｐ１の先端ｐｓからサブローラ１５１とその従動ローラ１５２ａとの接触点１５１ａまでの間隔と同一長ａとなるときの点である。
【００２６】
以上のように調節することにより、ホッパ１４１上に載置されるカットされた用紙Ｐが最大枚数以下であれば、最上層のカットされた用紙Ｐ１の先端ｐｓがサブローラ１５１とその従動ローラ１５２ａとの接触点１５１ａに届くまで、カットされた用紙Ｐ１は給紙ローラ１４２からレリースされないので、カットされた用紙Ｐ１をサブローラ１５１に確実に受け渡すことができ、給紙ミスを無くすことができる。
【００２７】
搬送部１５０には、用紙を搬送するためのサブローラ１５１とその従動ローラ１５２ａ、１５２ｂ、１５２ｃ、紙送りローラ１５３とその従動ローラ１５４、排紙ローラ１５５とその従動ローラ１５６、用紙を検知する検知センサ１５７ａ、１５７ｂ等が配設されている。サブローラ１５１は、給紙トレイ２１０から給紙されるカットされた用紙を排紙トレイ２３０に排紙するために、カットされた用紙を従動ローラ１５２ａ、１５２ｂ、１５２ｃとともに挟持してＵ字状に反転搬送させるようになっている。また、サブローラ１５１は、給紙部１３０から給紙されるロール状の用紙を排紙部２３０に排紙するために、ロール状の用紙を従動ローラ１５２ｃとともに挟持して搬送させるようになっている。
【００２８】
紙送りローラ１５３は、反転搬送されてきたカットされた用紙もしくは給紙されてくるロール状の用紙を従動ローラ１５４とともに挟持してプラテン１６３へ送り出すようになっている。排紙ローラ１５５は、プラテン１６３を通過してくる用紙を単独で支持し、あるいは従動ローラ１５６とともに挟持して排紙トレイ２３０上へ排紙するようになっている。検知センサ１５７ａは、給紙されてくるカットされた用紙のスキュー取りの際の搬送量を検知するようになっている。検知センサ１５７ｂは、反転搬送されてくるカットされた用紙もしくは搬送されてくるロール状の用紙の頭出しの際の搬送量を検知するようになっている。
【００２９】
従動ローラ１５６は、排紙ローラ１５５上に搬送されてくる用紙の記録面に対し当接または離間するギザローラ１１及びコロローラ１２と、これらのローラ１１、１２の当接・離間を切り替える切替軸１４を備えている。ギザローラ１１は、周面に鋸刃状の突起が形成されており、用紙の記録面に食い込んで用紙を排紙ローラ１５５と挟持することにより確実に搬送するようになっている。
【００３０】
コロローラ１２は、周面が滑らかに形成されており、用紙の記録面を押圧して用紙を排紙ローラ１５５と挟持することにより確実に搬送するようになっている。そして、切替軸１４の周面には、ギザローラ１１とコロローラ１２とギザローラ１１やコロローラ１２が配設されていないレリース部１３が円周方向に所定間隔を空けて配設され、かつこれらが軸方向に所定間隔を空けて複数組配設されている。
【００３１】
このような従動ローラ１５６によれば、切替軸１４を回転させることにより、ギザローラ１１とコロローラ１２、ギザローラ１１とレリース部１３、コロローラ１２とレリース部１３を任意に切り替えることができる。このギザローラ１１とレリース部１３またはコロローラ１２とレリース部１３の切替は、用紙の記録面に対するギザローラ１１またはコロローラ１２の当接・離間を擬似的に行っていることになる。したがって、上記各切替により多くの属性の用紙に対応することができる。なお、従動ローラ１５６には、ギザローラ１１とコロローラ１２とレリース部１３の３種を各１個ずつ配設するようにしたが、これに限定されるものではなく、１種以上を２個以上で任意の組み合わせで配設するようにしても良い。
【００３２】
記録部１６０には、キャリッジ１６１と、記録ヘッド１６２、プラテン１６３及び支持リブ１６４等が配設されている。キャリッジ１６１は、図示しないキャリッジベルトに連結されており、図示しないキャリッジモータによってキャリッジベルトが作動すると、キャリッジベルト１６５の動きに連行され、ガイド軸に案内されて用紙上を搬送直交方向に往復移動するようになっている。さらに、キャリッジ１６１は、下方の用紙に向けてインク滴を吐出可能な記録ヘッド１６２が搭載されている。
【００３３】
記録ヘッド１６２は、例えば２種類のブラックインクを吐出する複数のブラックインク用記録ヘッドと、イエロー、ダークイエロー、シアン、ライトシアン、マゼンタ、ライトマゼンタの６色のインク滴をそれぞれ吐出する複数のカラーインク用記録ヘッドとを備えている。そして、記録ヘッド１６２は、圧力発生室とそれに繋がるノズル開口が設けられており、圧力発生室内にインクを貯留して所定圧で加圧することにより、ノズル開口からプラテン１６３上の用紙に向けてコントロールされた大きさのインク滴を吐出するようになっている。
【００３４】
プラテン１６３は、その上面である記録案内面１６３ａにて、紙送りローラ１５３及び従動ローラ１５４から排紙ローラ１５５及び従動ローラ１５６に向かって搬送される用紙を支持して案内し、あるいは支持リブ１６４とともに支持して案内するようになっている。プラテン１６３の記録案内面１６３ａには、縁無し印刷のときに用紙の側端部から外れたインクを吸収するインク吸収材１６７（図９参照）が配設されている。これにより、無用なインクを回収することができるので、無用なインクによる用紙の汚染を防止することができる。さらに、用紙をプラテン１６３の記録案内面１６３ａに吸着する吸引孔１６８（図９参照）が穿設されている。これにより、記録ヘッド１６２のノズル形成面と用紙の記録面との距離を一定に保つことができるので、高記録精度を維持することができる。
【００３５】
支持リブ１６４は、プラテン１６３の記録案内面１６３ａに形成されているスリット１６３ｂから突き出しまたは引っ込むリブ２１と、このリブ２１の突出・引込を切り替える切替軸２２を備えている。リブ２１は、略三角形の板状に形成されており、円弧状の一角部が記録案内面１６３ａから突き出て用紙を支持するようになっている。切替軸２２は、両端がプラテン１６３の側面１６３ｃに軸支持されている。そして、切替軸２２の周面には、リブ２１が軸方向に所定間隔を空けて複数個配設されている。
【００３６】
このような支持リブ１６４によれば、切替軸２２を回転させることにより、プラテン１６３の記録案内面１６３ａに形成されているスリット１６３ｂにおいて、リブ２１における円弧状の一角部と平坦な部分とを任意に切り替えることができる。すなわち、プラテン１６３の記録案内面１６３ａに形成されているスリット１６３ｂに、リブ２１の円弧状の一角部を位置決めすることによりリブ２１を突き出させることができ、リブ２１の平坦な部分を位置決めすることによりリブ２１を引っ込めることができる。したがって、上記切替により後で詳述する多くの属性の用紙に対応することができる。
【００３７】
図７は、上記ロール紙ホルダ１３２の詳細構成を示す斜視図である。このロール紙ホルダ１３２は、１本のロール紙スピンドル１３２ａと、このロール紙スピンドル１３２ａの両端に嵌め込まれる一対のロール紙フランジ１３２ｂを備えている。ロール紙スピンドル１３２ａは、ロール状の用紙Ｒの中空軸部内に挿入される。ロール紙フランジ１３２ｂは、ロール紙スピンドル１３２ａが挿入されたロール状の用紙Ｒの中空軸部の両端部にそれぞれ嵌め込まれる。
【００３８】
ここで、プラテン１６３の記録案内面１６３ａには吸引孔１６８が穿設されているので、全サイズのロール状の用紙Ｒの側端部に対応してインク吸収材１６７を配設することは困難であり、例えばＡ２判と８インチのサイズのロール状の用紙Ｒの側端部に対応するインク吸収材１６７は配設されていない。そこで、ロール紙ホルダ１３２は、一方のロール紙フランジ１３２ｂのボス１３２ｂａ（図８参照）に嵌め込まれて内側面１３２ｂｂ（図８参照）に当接する円盤状のスペーサ１３２ｃを備えている。
【００３９】
このスペーサ１３２ｃを使用する場合は、先ず、図８（Ａ）に示すように、ロール紙スピンドル１３２ａに挿入されている一方のロール紙フランジ１３２ｂをロール紙スピンドル１３２ａの一端から引き抜く。そして、図８（Ｂ）に示すように、ロール紙スピンドル１３２ａの一端からスペーサ１３２ｃを挿入し、図８（Ｃ）に示すように、ロール紙スピンドル１３２ａの他端側に挿入固定されている他方のロール紙フランジ１３２ｂのボス１３２ｂａに嵌め込んで内側面１３２ｂｂに当接させる。
【００４０】
そして、図８（Ｄ）に示すように、ロール紙スピンドル１３２ａの一端からロール状の用紙Ｒの中空軸部を挿入して貫通させ、ロール紙スピンドル１３２ａの他端側に挿入固定されている他方のロール紙フランジ１３２ｂのボス１３２ｂａに嵌め込んでスペーサ１３２ｃに当接させる。そして、図８（Ｅ）に示すように、引き抜いた一方のロール紙フランジ１３２ｂをロール紙スピンドル１３２ａの一端から挿入して、ロール状の用紙Ｒの中空軸部に填め込む。これにより、ロール状の用紙Ｒはロール紙ホルダ１３２と共に回転可能となる。
【００４１】
このようなスペーサ１３２ｃをロール紙フランジ１３２ｂに取り付けることにより、Ａ２判または８インチのサイズのロール状の用紙Ｒの一端部に当接して側端部の位置をずらすことができる。これにより、図９に示すように、プラテン１６３の記録案内面１６３ａにおけるＡ２判または８インチのサイズのロール状の用紙Ｒのスペーサ１３２ｃが無いときの側端部の位置Ｐ１、Ｐ２をスペーサ１３２ｃが有るときの側端部の位置Ｐ１１、Ｐ１２に移動させることができる。
【００４２】
よって、別サイズのロール状の用紙Ｒの側端部に対応するインク吸収材１６７を使用することができるので、Ａ２判または８インチのサイズのロール状の用紙Ｒであっても縁無し印刷が可能となる。なお、このときのＡ２判または８インチのサイズのロール状の用紙Ｒの他方の側端部の位置はＰ３からＰ１３に移動するが、既存のインク吸収材１６７の範囲内であるのでそのまま使用することができる。また、スペーサ１３２ｃをロール紙フランジ１３２ｂから取り外すことにより、Ａ２判または８インチ以外のサイズのロール状の用紙Ｒも縁無し印刷が可能となる。
【００４３】
図１０は、本発明の特徴的な部分を含む給紙部１３０側からインクジェット式プリンタ１００を見た斜視図である。この給紙部１３０は、跳ね上げ式の開閉可能なロール紙カバー１３１と、ロール状の用紙がセット可能なロール紙ホルダ１３２と、これらの両端を支持する支持部１３３を有するロール紙ユニット（収納部）３１を備えている。このロール紙ユニット３１は、図１０（Ａ）に示すように、プリンタ本体（装置本体）３２の背面の上部後方に突き出るように配設されている。そして、ロール紙ユニット３１は、図１０（Ｂ）に示すように、プリンタ本体３２から分離することができる。このように、インクジェット式プリンタ１００は、ロール紙ユニット３１がプリンタ本体３２に対して着脱自在に構成されているのでコンパクトにすることができ、インクジェット式プリンタ１００の設置作業や修理作業等のときにインクジェット式プリンタ１００を容易に搬送することができる。
【００４４】
図１１は、ロール紙ユニット３１とプリンタ本体３２との着脱構造を示す斜視図である。ロール紙ユニット３１の支持部１３３を構成するフレーム１３３ａには、プリンタ本体３２を構成するフレーム３２ａに設けられているスリット（係止部）３２ｂに対して引っ掛けることが可能な鉤状の爪（係止部）１３３ｂと、フレーム３２ａに設けられているメネジ３２ｃに対して手動で螺合可能なツマミネジ（締結手段）１３３ｃを備えている。このような構成において、ロール紙ユニット３１をプリンタ本体３２から取り外すときは、ツマミネジ１３３ｃをメネジ３２ｃから外し、フレーム３２ａに沿ってフレーム１３３ａを持ち上げ、爪１３３ｂをスリット３２ｂから外す。また、ロール紙ユニット３１をプリンタ本体３２に取り付けるときは、爪１３３ｂをスリット３２ｂに挿入し、フレーム１３３ａをフレーム３２ａに沿って下ろし、ツマミネジ１３３ｃをメネジ３２ｃに螺合する。このように、特別な器具を用いなくてもロール紙ユニット３１とプリンタ本体３２とを手作業のみで容易に分離することができる。
【００４５】
なお、ロール紙ユニット３１の支持部１３３には、ロール紙スピンドル１３２ａの端部に設けたトルクリミッタの逆転の際に発生する歯飛びを防止して用紙のスキューを無くすために、トルクリミッタの歯部と当接する当接部材が設けられている。この当接部材との当接によるトルクリミッタの歯部に掛かる反力は、ロール紙がセットされたロール紙ホルダ１３２の自重より小さくなるように設定されている。また、ロール紙スピンドル１３２ａの端部には位置決めキャップが圧入されているが、ロール紙スピンドル１３２ａをロール紙ユニット３１の支持部１３３から取り出すときに、この位置決めキャップが抜けないように、ロール紙ユニット３１の支持部１３３には、Ｃ面取りが施されている。
【００４６】
このような構成において、インクジェット式プリンタ１００にてロール状の用紙に記録する場合の動作について説明する。先ず、ユーザは、ロール状の用紙をロール紙ホルダ１３２に装着して給紙部１３０に装填する。そして、ロール状の用紙の先端を引き出して紙送りローラ１５３とその従動ローラ１５４の当接部に突き当てる。次に、インクジェット式プリンタ１００の制御部は、ロール状の用紙に対応する従動ローラ１５６と支持リブ１６４の切替を行う。すなわち、従動ローラ１５６はレリース部１３に切り替えられ、支持リブ１６４のリブ２１は引っ込められる。そして、ロール状の用紙のスキュー取り及び頭出しを行う。
【００４７】
スキュー取り及び頭出しが完了したロール状の用紙は、図示しない紙送りモータにより駆動されている紙送りローラ１５３とその従動ローラ１５４に挟持されて記録部１６０へ搬送される。搬送されるロール状の用紙は、吸引ポンプによりプラテン１６３上に吸着されて平坦にされ、キャリッジモータとタイミングベルトにより走査されるキャリッジ１６１に搭載された記録ヘッド１６２により記録される。
【００４８】
このとき、制御部は、例えばイエロー、ライトイエロー、マゼンタ、ライトマゼンタ、シアン、ライトシアン、ブラックの計７色のインクカートリッジから記録ヘッド１６２へ各色インクを供給し、各色インクの吐出タイミング及びキャリッジ１６１や紙送りローラ１５３の駆動を制御して、高精度なインクドット制御、ハーフトーン処理等を実行する。そして、記録が完了したロール状の用紙はカットされ、図示しない紙送りモータにより駆動されている排紙ローラ１５５により給排紙部１４０へ排紙され、給排紙トレイ２００の排紙トレイ２３０上へ積層載置される。
【産業上の利用可能性】
【００４９】
収納部を備えた記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００５０】
【図１】本発明の一実施の形態に係る記録装置の１つであるインクジェット式プリンタの外観構成の全体を斜め前方から見た斜視図である。
【図２】図１のプリンタの給排紙トレイの斜視図である。
【図３】図２の給排紙トレイの使用形態を示す斜視図である。
【図４】図２の給排紙トレイの別の使用形態を示す斜視図である。
【図５】図１のプリンタの内部構成の概略を示す断面側面図である。
【図６】ホッパ上の用紙と給紙ローラとの接触状態を示す図である。
【図７】図１のプリンタのロール紙ホルダの詳細構成を示す斜視図である。
【図８】図７のロール紙ホルダへのロール状の用紙の装着手順を示す斜視図である。
【図９】図７のスペーサの効果を説明する図である。
【図１０】給紙部側からインクジェット式プリンタを見た斜視図である。
【図１１】ロール紙ユニットとプリンタ本体との着脱構造を示す斜視図である。
【符号の説明】
【００５１】
１１  ギザローラ、１２  コロローラ、１３  レリース部、１４  切替軸、２１  リブ、２２  切替軸、３１  ロール紙ユニット、３２  プリンタ本体、３２ｂ  スリット、１００  インクジェット式プリンタ、１０１  ハウジング、１０４  カートリッジ収納部、１０５  カートリッジカバー、１１０  操作部、１１１  ボタン、１１２  液晶パネル、１３０  給紙部、１３２  ロール紙ホルダ、１３２ａ  ロール紙スピンドル、１３２ｂ  ロール紙フランジ、１３２ｃ  スペーサ、１３３  支持部、１３３ｂ  爪、１３３ｃ  ツマミネジ、１４０  給排紙部、１４１  ホッパ、１４２  給紙ローラ、１４３  分離部材、１５０  搬送部、１５１  サブローラ、１５２ａ、１５２ｂ、１５２ｃ  従動ローラ、１５３  紙送りローラ、１５４  従動ローラ、１５５  排紙ローラ、１５６  従動ローラ、１６０  記録部、１６１  キャリッジ、１６２  記録ヘッド、１６３  プラテン、１６３ａ  記録案内面、１６４  支持リブ、１６７  インク吸引材、１６８  吸引孔、２００  給排紙トレイ、２１０  給紙トレイ、２３０  排紙トレイ
【図１】
2005169745.tif 000003
【図２】
2005169745.tif 000004
【図３】
2005169745.tif 000005
【図４】
2005169745.tif 000006
【図５】
2005169745.tif 000007
【図６】
2005169745.tif 000008
【図７】
2005169745.tif 000009
【図８】
2005169745.tif 000010
【図９】
2005169745.tif 000011
【図１０】
2005169745.tif 000012
【図１１】
2005169745.tif 000013